(57)【要約】      （修正有）【課題】ホームゲートウェイのネットワークアドレス変換方法の改善を通じたデータ伝送方法およびそのシステムを提供する。【解決手段】ホームネットワーク内のマルチメディアデバイスがホームゲートウェイにリアルタイムサービスを要請するステップと、ホームゲートウェイは、データの優先順位を表すサービスタイプフィールドにマルチメディアデバイスに対応する２進符号を入力するステップと、ホームゲートウェイはサービス提供者にマルチメディアデバイスのＩＰアドレス設定を要請するステップと、サービス提供者はＩＰアドレス設定要請に応じて、マルチメディアデバイスに対応する２進符号を含むＩＰアドレスを設定するステップと、マルチメディアデバイスに対応する２進符号を含むデータパケットを伝送するステップとを含む。【選択図】      図３
2006246464.tif 000002
【特許請求の範囲】
【請求項１】
ホームネットワーク内のマルチメディアデバイスがホームゲートウェイにリアルタイムサービスを要請するステップと、
前記ホームゲートウェイはアドレス変換処理に使用されるマッピングテーブルを作成するにあたって、データの優先順位を表すサービスタイプフィールドに前記マルチメディアデバイスに対応する２進符号を入力するステップと、
前記ホームゲートウェイはサービス提供者に前記マルチメディアデバイスのＩＰアドレス設定を要請するステップと、
前記サービス提供者は前記ＩＰアドレス設定要請に応じて、前記マルチメディアデバイスに対応する２進符号を含むＩＰアドレスを設定するステップと、
前記マルチメディアデバイスに対応する２進符号を含むデータパケットを伝送するステップとを含むことを特徴とするネットワークアドレス変換方法の改善を通じたデータ伝送方法。
【請求項２】
前記ホームゲートウェイは、前記２進符号を用いて前記マルチメディアデバイスのＩＰアドレス変換を処理するステップと、
前記マルチメディアデバイスに前記データパケットを伝送するステップとを更に含むことを特徴とする請求項１に記載のネットワークアドレス変換方法の改善を通じたデータ伝送方法。
【請求項３】
前記２進符号は２ビットであることを特徴とする請求項１に記載のネットワークアドレス変換方法の改善を通じたデータ伝送方法。
【請求項４】
前記サービスタイプフィールドに前記マルチメディアデバイスに対応する２進符号を入力するステップは、
前記マルチメディアデバイスが前記ホームゲートウェイにリアルタイムサービスを要請する順番に応じて０１、１０、１１順に入力することを特徴とする請求項１に記載のネットワークアドレス変換方法の改善を通じたデータ伝送方法。
【請求項５】
前記０１，１０，１１全てが入力された後、前記マルチメディアデバイスがホームゲートウェイにリアルタイムサービスを要請する場合には、前記ホームゲートウェイが前記要請を拒否することを特徴とする請求項４に記載のネットワークアドレス変換方法の改善を通じたデータ伝送方法。
【請求項６】
前記０１，１０，１１全てが入力された後、前記マルチメディアデバイスがホームゲートウェイにリアルタイムサービスを要請する場合には、真っ先に入力された２進符号に対応するマルチメディアデバイスに対するマッピングテーブルを削除し、前記真っ先に入力された２進符号を前記マルチメディアデバイスに対するマッピングテーブルのサービスタイプフィールドに割当てることを特徴とする請求項４に記載のネットワークアドレス変換方法の改善を通じたデータ伝送方法。
【請求項７】
前記ホームゲートウェイはアドレス変換処理に使用されるマッピングテーブルを作成するにあたって、前記マルチメディアデバイスのプライベートＩＰおよび前記マルチメディアデバイスのポート番号を抽出して、前記マッピングテーブルに入力することを特徴とする請求項１に記載のネットワークアドレス変換方法の改善を通じたデータ伝送方法。
【請求項８】
前記ホームゲートウェイが前記２進符号を用いて前記マルチメディアデバイスのＩＰアドレス変換を処理するステップは、前記マッピングテーブルを検索した後、前記マルチメディアデバイスのＩＰアドレス変換を行うことを特徴とする請求項２に記載のネットワークアドレス変換方法の改善を通じたデータ伝送方法。
【請求項９】
前記サービスタイプフィールドに前記マルチメディアデバイスに対応する２進符号を入力するステップは、前記サービスタイプフィールドの使用されないビットに入力することを特徴とする請求項１に記載のネットワークアドレス変換方法の改善を通じたデータ伝送方法。
【請求項１０】
複数の通信網を相互接続しプロトコルの変換を行うホームゲートウェイと、
ホームネットワーク上のマルチメディアデバイスと、
前記ホームゲートウェイにデータを伝送するサービス提供者と、を含み、
前記マルチメディアデバイスは前記ホームゲートウェイにリアルタイムサービスを要請した後、前記リアルタイムサービスに対するデータパケットの伝送を受け、
前記ホームゲートウェイはアドレス変換処理に使用されるマッピングテーブルを作成するにあたって、データの優先順位に対する情報を表すサービスタイプフィールドに前記マルチメディアデバイスに対応する２進符号を入力した後、前記サービス提供者に前記マルチメディアデバイスのＩＰアドレス設定を要請し、
前記サービス提供者は前記ＩＰアドレス設定要請に応じて、前記マルチメディアデバイスに対応する２進符号を含むＩＰアドレスを設定した後、前記マルチメディアデバイスに対応する２進符号を含むデータパケットを伝送することを特徴とするネットワークアドレス変換方法の改善を通じたデータ伝送システム。
【請求項１１】
前記ホームゲートウェイは、前記２進符号を用いて前記マルチメディアデバイスのＩＰアドレス変換を処理することを特徴とする請求項１０に記載のネットワークアドレス変換方法の改善を通じたデータ伝送システム。
【請求項１２】
前記ホームゲートウェイは、前記マルチメディアデバイスに前記データパケットを伝送することを特徴とする請求項１０に記載のネットワークアドレス変換方法の改善を通じたデータ伝送システム。
【請求項１３】
前記２進符号は２ビットであることを特徴とする請求項１０に記載のネットワークアドレス変換方法の改善を通じたデータ伝送システム。
【請求項１４】
前記ホームゲートウェイは、前記マルチメディアデバイスが前記ホームゲートウェイにリアルタイムサービスを要請する順番に応じて０１、１０、１１の順に入力することを特徴とする請求項１０に記載のネットワークアドレス変換方法の改善を通じたデータ伝送システム。
【請求項１５】
前記ホームゲートウェイは、前記０１，１０，１１全てが入力された後、前記マルチメディアデバイスがホームゲートウェイにリアルタイムサービスを要請する場合には、前記要請を拒否することを特徴とする請求項１４に記載のネットワークアドレス変換方法の改善を通じたデータ伝送システム。
【請求項１６】
前記ホームゲートウェイは、前記０１，１０，１１全てが入力された後、前記マルチメディアデバイスがホームゲートウェイにリアルタイムサービスを要請する場合には、真っ先に入力された２進符号に対応するマルチメディアデバイスに対するマッピングテーブルを削除し、前記真っ先に入力された２進符号を前記マルチメディアデバイスに対するマッピングテーブルのサービスタイプフィールドに割当てることを特徴とする請求項１４に記載のネットワークアドレス変換方法の改善を通じたデータ伝送システム。
【請求項１７】
前記ホームゲートウェイは、アドレス変換処理に使用されるマッピングテーブルを作成するにあたって、前記マルチメディアデバイスのプライベートＩＰおよび前記マルチメディアデバイスのポート番号を抽出して、前記マッピングテーブルに入力することを特徴とする請求項１０に記載のネットワークアドレス変換方法の改善を通じたデータ伝送システム。
【請求項１８】
前記ホームゲートウェイは前記マッピングテーブルを検索した後、前記マルチメディアデバイスのＩＰアドレス変換を行うことを特徴とする請求項１１に記載のネットワークアドレス変換方法の改善を通じたデータ伝送システム。
【請求項１９】
前記ホームゲートウェイは、前記サービスタイプフィールドに前記マルチメディアデバイスに対応する２進符号を入力するにあたって、前記サービスタイプフィールドの使用されないビットに入力することを特徴とする請求項１０に記載のネットワークアドレス変換方法の改善を通じたデータ伝送システム。
【発明の詳細な説明】
【技術分野】
【０００１】
本発明は、ネットワーク上のデータ伝送方法およびそのシステムに関し、詳細には、ホームゲートウェイのネットワークアドレス変換方法の改善を通じたデータ伝送方法およびそのシステムに関する。
【背景技術】
【０００２】
現在、国内のインターネット作業者が保有しているＩＰｖ４アドレスで急速に増加しつつあるインターネットユーザのＩＰｖ４アドレス提供を満たすことができない。これからこのような現象は続くと予測されている。ＩＰｖ６のアドレス体系が係る問題を解決すると予想されるものの、対象化するには相当の時間が要されるという専門家の共有している予測がある。したがって、ＩＰｖ４アドレスの枯渇問題を解決し、増加しているインターネットユーザの安定したＩＰｖ４アドレスの提供の方案が必要とされている。現在のところＩＰｖ４のアドレス問題を解決する方法として、ＮＡＴ（Ｎｅｔｗｏｒｋ  Ａｄｄｒｅｓｓ  Ｔｒａｎｓｌａｔｏｒ）方法が提案されている。これはＩＰｖ４のｐｏｏｌを維持しながら各インターネットユーザの私設用ＩＰパケットアドレスをＮＡＴから提供された動的公衆用ＩＰｖ４アドレスに変換させる技術である。
【０００３】
本発明に係るホームゲートウェイのネットワークアドレス変換方法の改善を通じたデータ伝送システムは、ＮＡＴ（ネットワークアドレス交換機）を含むことであって、前述のようにＮＡＴとは、プライベートＩＰアドレス空間でグロバルＩＰアドレス空間に接続できるようアドレスを変換するシステムのことを指す。即ち、ＮＡＴはプライベートＩＰアドレスを有する組織内のホストとグロバルＩＰアドレスを有するインターネット内ホストと間の通信のためにアドレスを変換する機能を行う。なお、グロバルＩＰアドレスとは、世界中に接続されているインターネットで使用されているアドレスであり、プライベートＩＰアドレスはインターネットに接続されていない組織内で使用されるアドレスを意味する。ＮＡＴは、正式にグロバルＩＰアドレスを申請せず適当なＩＰアドレスを組織内で割当てて使用している場合と、アドレス不足により組織内ＩＰアドレスをプライベートＩＰアドレスを組織内で割り当てる場合など、インターネットで使用されるグロバルなアドレスを組織内で有していないときに使用される。ＮＡＴは主にＩＰパケットヘッダのアドレスおよびＴＣＰ／ＵＤＰポートの変換を担う。アプリケーションは係るアドレスおよびポート変換によって通信のやり取りが可能となる。
【０００４】
図１は本発明に係るホームゲートウェイのネットワークアドレス変換方法の改善を通じたデータ伝送システムの構成図である。ホームネットワークとアクセスネットワークは、ホームゲートウェイ１００を接点として構成し、ＮＡＴを用いるホームネットワークに存在するデバイス１１０ａ、１１０ｂ．．はホームゲートウェイ１００でアドレスを変換しＩＰデータを伝送する。この場合、ホームゲートウェイ１００でアドレスを変換するにあたって、ＯＳＩ７ｌａｙｅｒの４階層（伝送層：Ｔｒａｎｓｐｏｒｔ）のＴＣＰ／ＵＤＰポート番号を用いて１つのパブリックＩＰｖ４を多数のプライベートＩＰｖ４にアドレス変換させる。即ち、ホームネットワーク上に存在する多数のデバイス１１０ａ、１１０ｂ．．などが１つのサービス提供者１３０と通信を行うためにはプライベートＩＰｖ４を有しており、ホームゲートウェイ１００のＮＡＴ機能を通じて通信を行う。しかし、係る従来の方法によると、ＮＡＴはＩＰアドレスとＴＣＰ／ＵＤＰのＬａｙｅｒ４のポートナンバーを用いてアドレス変換を行うので、必ずＬａｙｅｒ４階層までのアドレス確認過程が必要となる。通常、この場合は多くの時間がかかるので、リアルタイムサービスとマルチメディアサービスにおいて、このようなＩＰパケットのアドレス変換はデータ伝送速度の面において極めて非効率的に作用する。従って、リアルタイムサービスの提供が必要なマルチメディアデバイスにおいて従来のＮＡＴ方式に基づいた通信は適していない問題を抱えている。
【発明の開示】
【発明が解決しようとする課題】
【０００５】
本発明は前述した問題点を解決するために案出されたもので、本発明の目的は、ホームゲートウェイのネットワークアドレス変換方法の改善を通じたデータ伝送方法およびそのシステムを提供することにある。
【課題を解決するための手段】
【０００６】
前述した目的を達成するための本発明に係るネットワークアドレス変換方法の改善を通じたデータ伝送方法は、ホームネットワーク内のマルチメディアデバイスがホームゲートウェイにリアルタイムサービスを要請するステップと、前記ホームゲートウェイはアドレス変換処理に使用されるマッピングテーブルを作成するにあたって、データの優先順位を表すサービスタイプフィールドに前記マルチメディアデバイスに対応する２進符号を入力するステップと、前記ホームゲートウェイはサービス提供者に前記マルチメディアデバイスのＩＰアドレス設定を要請するステップと、前記サービス提供者は前記ＩＰアドレス設定要請に応じて、前記マルチメディアデバイスに対応する２進符号を含むＩＰアドレスを設定するステップと、前記マルチメディアデバイスに対応する２進符号を含むデータパケットを伝送するステップとを含む。
【０００７】
好ましくは、前記ホームゲートウェイは、前記２進符号を用いて前記マルチメディアデバイスのＩＰアドレス変換を処理するステップと、前記マルチメディアデバイスに前記データパケットを伝送するステップとを更に含むことを特徴とする。また、前記２進符号は２ビットであることを特徴とする。また、前記サービスタイプフィールドに前記マルチメディアデバイスに対応する２進符号を入力するステップは、前記マルチメディアデバイスが前記ホームゲートウェイにリアルタイムサービスを要請する順番に応じて０１、１０、１１順に入力することを特徴とする。また、前記０１，１０，１１全てが入力された後、前記マルチメディアデバイスがホームゲートウェイにリアルタイムサービスを要請する場合には、前記ホームゲートウェイが前記要請を拒否することを特徴とする。
【０００８】
また、前記０１，１０，１１全てが入力された後、前記マルチメディアデバイスがホームゲートウェイにリアルタイムサービスを要請する場合には、真っ先に入力された２進符号に対応するマルチメディアデバイスに対するマッピングテーブルを削除し、前記真っ先に入力された２進符号を前記マルチメディアデバイスに対するマッピングテーブルのサービスタイプフィールドに割当てることを特徴とする。さらに、前記ホームゲートウェイはアドレス変換処理に使用されるマッピングテーブルを作成するにあたって、前記マルチメディアデバイスのプライベートＩＰおよび前記マルチメディアデバイスのポート番号を抽出して、前記マッピングテーブルに入力することを特徴とする。また、前記ホームゲートウェイが前記２進符号を用いて前記マルチメディアデバイスのＩＰアドレス変換を処理するステップは、前記マッピングテーブルを検索した後、前記マルチメディアデバイスのＩＰアドレス変換を行うことを特徴とする。
【０００９】
好ましくは、前記サービスタイプフィールドに前記マルチメディアデバイスに対応する２進符号を入力するステップは、前記サービスタイプフィールドの使用されないビットに入力することがよい。
【００１０】
一方、本発明に係るネットワークアドレス変換方法の改善を通じたデータ伝送システムは、複数の通信網を相互接続しプロトコルの変換を行うホームゲートウェイと、ホームネットワーク上のマルチメディアデバイスと、前記ホームゲートウェイにデータを伝送するサービス提供者と、を含み、前記マルチメディアデバイスは前記ホームゲートウェイにリアルタイムサービスを要請した後、前記リアルタイムサービスに対するデータパケットの伝送を受け、前記ホームゲートウェイはアドレス変換処理に使用されるマッピングテーブルを作成するにあたって、データの優先順位に対する情報を表すサービスタイプフィールドに前記マルチメディアデバイスに対応する２進符号を入力した後、前記サービス提供者に前記マルチメディアデバイスのＩＰアドレス設定を要請し、前記サービス提供者は前記ＩＰアドレス設定要請に応じて、前記マルチメディアデバイスに対応する２進符号を含むＩＰアドレスを設定した後、前記マルチメディアデバイスに対応する２進符号を含むデータパケットを伝送することを特徴とする。
【００１１】
好ましくは、前記ホームゲートウェイは、前記２進符号を用いて前記マルチメディアデバイスのＩＰアドレス変換を処理することを特徴とする。また、前記ホームゲートウェイは、前記マルチメディアデバイスに前記データパケットを伝送し、前記２進符号は２ビットであることを特徴とする。また、前記ホームゲートウェイは、前記マルチメディアデバイスが前記ホームゲートウェイにリアルタイムサービスを要請する順番に応じて０１、１０、１１の順に入力することが好ましい。前記ホームゲートウェイは、前記０１，１０，１１全てが入力された後、前記マルチメディアデバイスがホームゲートウェイにリアルタイムサービスを要請する場合には、前記要請を拒否することを特徴とする。
【００１２】
また、前記ホームゲートウェイは、前記０１，１０，１１全てが入力された後、前記マルチメディアデバイスがホームゲートウェイにリアルタイムサービスを要請する場合には、真っ先に入力された２進符号に対応するマルチメディアデバイスに対するマッピングテーブルを削除し、前記真っ先に入力された２進符号を前記マルチメディアデバイスに対するマッピングテーブルのサービスタイプフィールドに割当てることを特徴とする。また、前記ホームゲートウェイは、アドレス変換処理に使用されるマッピングテーブルを作成するにあたって、前記マルチメディアデバイスのプライベートＩＰおよび前記マルチメディアデバイスのポート番号を抽出して、前記マッピングテーブルに入力することを特徴とする。
【００１３】
さらに、前記ホームゲートウェイは前記マッピングテーブルを検索した後、前記マルチメディアデバイスのＩＰアドレス変換を行うことを特徴とする。前記ホームゲートウェイは、前記サービスタイプフィールドに前記マルチメディアデバイスに対応する２進符号を入力するにあたって、前記サービスタイプフィールドの使用されないビットに入力することを特徴とする。
【発明の効果】
【００１４】
本発明によると、選別的なＩＰパケットに適用され、リアルタイムデータパケットやマルチメディアデータパケットの伝送速度の改善効果が挙げられる。それと共に、サービス品質が改善され、プロセス時間も減らすことができる。また、既存のＮＡＴ処理方式を支援し、必要なパケットのみその機能を支援することができる。
【発明を実施するための最良の形態】
【００１５】
以下、添付の図面に基づいて本発明の好適な実施形態を詳述する。
【実施例】
【００１６】
図２は本発明に係るホームゲートウェイのネットワークアドレス変換方法の改善を通じたデータ伝送方法を示す全体フローチャートである。本発明に係るデータ伝送システムはサービス提供者２００、ホームゲートウェイ２１０、及びマルチメディアデバイス２２０を含んでなる。ホームゲートウェイ２１０は、狭い意味としてはＯＳＩ基本参照モデルの各階層でプロトコルが違って互換性のない複数の通信網を互いに接続しプロトコルの変換を行う基本単位あるいは装置を指し、プロトコルが同一であったり類似な通信網を相互接続し情報のやり取りを行うブリッジとは相違に、ホームゲートウェイ２１０はプロトコルが異なる複数の通信網間にプロトコルを変換し情報のやり取りを行う。図２に基づいて本発明の作動原理について詳説すると、まず、リアルタイムや早い伝送速度のサービスが必要なマルチメディアデバイス２２０は必要なリアルタイムサービスをホームゲートウェイ２１０に要請する（Ｓ２２５）。これにホームゲートウェイ２１０は要請したサービスのレベルに応じてＩＰ  Ｌａｙｅｒアドレス変換のためのマッピングテーブルを作成し、ヘッダフォーマットを作成する（Ｓ２３０）。それから、ホームゲートウェイ２１０は外部のサービス提供者２００にＩＰ設定メッセージを伝送する（Ｓ２３５）。サービス提供者２００はサービス可用有無を判断した後、可能な場合に前述のサービス提供者２００はＩＰアドレス設定要請に応じて、マルチメディアデバイス２２０に対応する２進符号を含んでいるＩＰアドレスを設定する（Ｓ２４０）。
【００１７】
それから、サービス提供者２００はマルチメディアデバイス２２０に対応する２進符号を含むデータパケットを伝送する（Ｓ２５０）。その後、前記２進符号を含むＩＰ要請ビットが設定されたパケットを受信したホームゲートウェイ２１０は、ＩＰパケット分析過程において前記２進符号ビット（ＩＰアドレス変換ビット）が設定されていることを確認した場合であれば、通常、ＮＡＴ過程に進まず、マッピングテーブルによりアドレス変換を行う（Ｓ２６０）。それから、ホームゲートウェイ２１０は受信したデータパケットを該当されるマルチメディアデバイス２２０に伝送する（Ｓ２７０）。以下、前述した２進符号ビット（ＩＰ要請ビット）と前述したマッピングテーブルについて詳説する。
【００１８】
２進符号ビット（ＩＰ要請ビット）は伝送される間にサービス提供者２００のルータや、他のゲートウェイにてエラーを発生させず、使用されないビットや送信者オプションビットを使用すべきである。以下、ＩＰヘッダにおける使用されないビットを活用する方法について詳説する。
【００１９】
図３は本発明の具現に使用されるＩＰヘッダでのＩＰサービスタイプフィールドを示す図面である。一般にＩＰネットワークを介して伝送されるデータはＩＰ単位で伝送され、ＩＰのヘッド領域にはデータに関する情報を有するＩＰヘッダ３００が形成されている。ＩＰヘッダ３００には図３に示すように、ＩＰのバージョン、データの優先順位に対する情報であるサービスタイプ３１０、データの総長さ、ＩＰのＩＤ，データが送信されるＩＰアドレス（Ｓｏｕｒｃｅ  ＩＰ  Ａｄｄｒｅｓｓ）、データの目標ＩＰアドレス（Ｄｅｓｔｉｎａｔｉｏｎ  ＩＰ  Ａｄｄｒｅｓｓ）などのフィールドが含まれる。なお、サービスタイプフィールド３１０は、共用インターネット網で優先順位政策であるＱｏＳによる優先順位を示すコードを表すパートとして８ビットで形成され、該当のデータが優先順位を有するデータであるかを表すための３ビットのＰｒｅｃｅｄｅｎｃｅパート、優先順位に対する詳細な情報を表すためデータにディレーが可能であるかどうかを表すＤパート、Ｔパート、パケットが必ず伝送されるべきかという信頼性を表すＲパートを有する。そして、本発明に係るＩＰヘッダ３００に含まれるサービスタイプフィールド３１０にはホームネットワークでの個々のマルチメディアデバイス２２０を区別するためのフレームパート３２０を更に含んでいる。フレームパート３２０は２ビットからなり、リアルタイムサービスを要請したマルチメディアデバイス２２０に対してその要請順番に応じて２進符号を割り当てる。例えば、リアルタイムサービスを最初に要請したマルチメディアデバイスに対しては「０１」に設定し、リアルタイムサービスを２番目で要請したマルチメディアデバイスに対しては「１０」に設定できる。さらに、リアルタイムサービスを３番目に要請したマルチメディアデバイスに対しては「１１」のように設定できる。もし、前述の「０１」、「１０」、「１１」が全て入力された後、マルチメディアデバイス２２０がホームゲートウェイ２１０にリアルタイムサービスを要請する場合、前述したホームゲートウェイ２１０は前述の要請を拒否することができる。一方、もし、前述した「０１」、「１０」、「１１」が全て入力された後、マルチメディアデバイス２２０がホームゲートウェイ２１０にリアルアイムサービスを要請する場合であれば、真っ先に入力された２進符号に対応するマルチメディアデバイスに対するマッピングテーブルを削除し、真っ先に入力された２進符号を前記マルチメディアデバイスに対するマッピングテーブルのサービスタイプフィールドに割り当てるようにすることもできる。
【００２０】
以下、前述したマッピングテーブルの生成過程について詳説する。
【００２１】
図４はネットワークアドレス変換方法の改善に使用されるマッピングテーブルの生成過程について示す図面である。同図に基づいてマッピングテーブルの生成過程について詳説すると、まず、ホームゲートウェイ２１０はマルチメディアデバイス２２０からＩＰ要請メッセージを受信し（Ｓ４００）、要請受諾如何を判断する（Ｓ４１０）。この場合、２進符号ビットがあらかじめ他のマルチメディアデバイスについて割り当てられている場合、マルチメディアデバイス２２０から要請を拒否することもできる（Ｓ４２０）。もし、２進符号ビットを使用できれば、要請を送ったマルチメディアデバイスのＩＰアドレス４９０とポート番号４９５を抽出する（Ｓ４３０）。その後、要請メッセージのサービスレベルに応じて設定されたＩＰサービスタイプフィールド４８５を抽出する（Ｓ４４０）。ＩＰサービスタイプフィールド４８５には前述したホームネットワークにおける個々のマルチメディデバイスを区別するためのフレームパート３２０が含まれていることは前述した通りである。よって、ホームゲートウェイ２１０はＩＰアドレス４９０、ポート番号４９５、及びサービスタイプフィールド４８５を入力しアドレス変換用マッピングテーブル４８０を作成する（Ｓ４５０）。
【００２２】
以下、ホームゲートウェイ２１０がサービス提供者２００からのデータパケットを受信した後、該当のマルチメディアデバイス２２０にデータパケットを伝送するステップについて詳説する。
【００２３】
図５はホームゲートウェイのＩＰアドレス変換処理過程を示すアドレス変換フローチャートである。同図に示すように、ホームゲートウェイ２１０のＩＰアドレス変換処理過程を説明すると、まず、ホームゲートウェイ２１０はサービス提供者２００からのデータパケットを受信すると（Ｓ５００）、データパケットに付着されたＩＰパケットからサービスタイプフィールド内にある２進符号ビットが設定されているかどうかを確認する（Ｓ５１０）。前述した２進符号ビットが設定されていなければ、既存のＮＡＴ処理過程（Ｓ５２０）を行うが、前記２進符号ビットが設定されている場合にホームゲートウェイ２１０はアドレス変換用マッピングテーブル４８０を検索することとなる（Ｓ５３０）。それからホームゲートウェイ２１０はマッピングテーブル４８０を介してＩＰアドレスおよびポート変換を行ってから（Ｓ５４０）、該当のマルチメディアデバイス２２０に前記データパケットを伝送する（Ｓ５５０）。
【００２４】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００２５】
【図１】本発明に係るホームゲートウェイのネットワークアドレス変換方法の改善を通じたデータ伝送システムの構成図である。
【図２】本発明に係るホームゲートウェイのネットワークアドレス変換方法の改善を通じたデータ伝送方法を示す全体フローチャートである。
【図３】本発明の具現に使用されるＩＰヘッダにおけるＩＰサービスタイプフィールドを示す図である。
【図４】ネットワークアドレス変換方法の改善に使用されるマッピングテーブルの生成過程について示した図である。
【図５】ホームゲートウェイのＩＰアドレス変換処理過程を示すアドレス変換フローチャートである。
【符号の説明】
【００２６】
３００      ＩＰヘッダ
３１０      サービスタイプ
３２０      フレームパート
【図１】
2006246464.tif 000003
【図２】
2006246464.tif 000004
【図３】
2006246464.tif 000005
【図４】
2006246464.tif 000006
【図５】
2006246464.tif 000007